(57)【要約】【課題】コンテンツをダウンロードするためにそのコンテンツのＵＲＬを入力することを不要とするコンテンツのダウンロード方法及びその方式を提供する。【解決手段】携帯電話１０２が、コンテンツの識別情報であって電子透かしの形態を有するものを含んだ画像（広告等）１２２を読み取るステップと、携帯電話１０２が、画像をＷＷＷサーバ１０３にＨＴＴＰにより送信するステップと、ＷＷＷサーバ１０３が、画像から識別情報を抽出するステップと、ＷＷＷサーバ１０３が、識別情報に対応したコンテンツをコンテンツデータベース１０９から検索するステップと、ＷＷＷサーバ１０３が、コンテンツを携帯端末１０２にＨＴＴＰにより送信するステップとを有する。【選択図】　　　　図１
2004086457.tif 000002
【特許請求の範囲】
【請求項１】
情報機器が、コンテンツの識別情報であって電子透かしの形態を有するものを含んだ画像を読み取るステップと、
前記情報機器が、前記画像をサーバにＨＴＴＰ（ｈｙｐｅｒｔｅｘｔ　ｔｒａｎｓｆｅｒ　ｐｒｏｔｏｃｏｌ）により送信するステップと、
前記サーバが、前記画像から前記識別情報を抽出するステップと、
前記サーバが、前記識別情報に対応したコンテンツを検索するステップと、
前記サーバが、前記コンテンツを前記情報機器にＨＴＴＰにより送信するステップと、
を有することを特徴とするコンテンツのダウンロード方法。
【請求項２】
情報機器が、ホームページの識別情報であって電子透かしの形態を有するものを含んだ画像を読み取るステップと、
前記情報機器が、前記画像を第１のサーバにＨＴＴＰ（ｈｙｐｅｒｔｅｘｔ　ｔｒａｎｓｆｅｒ　ｐｒｏｔｏｃｏｌ）により送信するステップと、
前記第１のサーバが、前記画像から前記識別情報を抽出するステップと、
前記第１のサーバが、前記識別情報に対応したホームページを検索するステップと、
前記第１のサーバが、前記ホームページを前記情報機器にＨＴＴＰにより送信するステップと、
前記情報機器が、前記ホームページにＵＲＬ（ｕｎｉｆｏｒｍ　ｒｅｓｏｕｒｃｅ　ｌｏｃａｔｏｒ）が記述されているコンテンツの送信の要求を第２のサーバにＨＴＴＰにより送信するステップと、
前記第２のサーバが、前記コンテンツを前記情報機器にＨＴＴＰにより送信するステップと、
を有することを特徴とするコンテンツのダウンロード方法。
【請求項３】
情報機器が、コンテンツのＵＲＬ（ｕｎｉｆｏｒｍ　ｒｅｓｏｕｒｃｅ　ｌｏｃａｔｏｒ）の識別情報であって電子透かしの形態を有するものを含んだ画像を読み取るステップと、
前記情報機器が、前記画像を第１のサーバにＨＴＴＰ（ｈｙｐｅｒｔｅｘｔ　ｔｒａｎｓｆｅｒ　ｐｒｏｔｏｃｏｌ）により送信するステップと、
前記第１のサーバが、前記画像から前記識別情報を抽出するステップと、
前記第１のサーバが、前記識別情報に対応したコンテンツのＵＲＬを検索するステップと、
前記第１のサーバが、前記コンテンツのＵＲＬを含んだホームページを作成するステップと、
前記第１のサーバが、前記ホームページを前記情報機器にＨＴＴＰにより送信するステップと、
前記情報機器が、前記ホームページにＵＲＬが記述されているコンテンツの送信の要求を第２のサーバにＨＴＴＰにより送信するステップと、
前記第２のサーバが、前記コンテンツを前記情報機器にＨＴＴＰにより送信するステップと、
を有することを特徴とするコンテンツのダウンロード方法。
【請求項４】
情報機器が、コンテンツの識別情報であって電子透かしの形態を有するものを含んだ画像を読み取るステップと、
前記情報機器が、前記画像から前記識別情報を抽出するステップと、
前記情報機器が、前記識別情報をサーバにＨＴＴＰ（ｈｙｐｅｒｔｅｘｔ　ｔｒａｎｓｆｅｒ　ｐｒｏｔｏｃｏｌ）により送信するステップと、
前記サーバが、前記識別情報に対応したコンテンツを検索するステップと、
前記サーバが、前記コンテンツを前記情報機器にＨＴＴＰにより送信するステップと、
を有することを特徴とするコンテンツのダウンロード方法。
【請求項５】
情報機器が、ホームページの識別情報であって電子透かしの形態を有するものを含んだ画像を読み取るステップと、
前記情報機器が、前記画像から前記識別情報を抽出するステップと、
前記情報機器が、前記識別情報を第１のサーバにＨＴＴＰ（ｈｙｐｅｒｔｅｘｔ　ｔｒａｎｓｆｅｒ　ｐｒｏｔｏｃｏｌ）により送信するステップと、
前記第１のサーバが、前記識別情報に対応したホームページを検索するステップと、
前記第１のサーバが、前記ホームページを前記情報機器にＨＴＴＰにより送信するステップと、
前記情報機器が、前記ホームページにＵＲＬ（ｕｎｉｆｏｒｍ　ｒｅｓｏｕｒｃｅ　ｌｏｃａｔｏｒ）が記述されているコンテンツの送信の要求を第２のサーバにＨＴＴＰにより送信するステップと、
前記第２のサーバが、前記コンテンツを前記情報機器にＨＴＴＰにより送信するステップと、
を有することを特徴とするコンテンツのダウンロード方法。
【請求項６】
情報機器が、コンテンツのＵＲＬ（ｕｎｉｆｏｒｍ　ｒｅｓｏｕｒｃｅ　ｌｏｃａｔｏｒ）の識別情報であって電子透かしの形態を有するものを含んだ画像を読み取るステップと、
前記情報機器が、前記画像から前記識別情報を抽出するステップと、
前記情報機器が、前記識別情報を第１のサーバにＨＴＴＰ（ｈｙｐｅｒｔｅｘｔ　ｔｒａｎｓｆｅｒ　ｐｒｏｔｏｃｏｌ）により送信するステップと、
前記第１のサーバが、前記識別情報に対応したコンテンツのＵＲＬを検索するステップと、
前記第１のサーバが、前記コンテンツのＵＲＬを含んだホームページを作成するステップと、
前記第１のサーバが、前記ホームページを前記情報機器にＨＴＴＰにより送信するステップと、
前記情報機器が、前記ホームページにＵＲＬが記述されているコンテンツの送信の要求を第２のサーバにＨＴＴＰにより送信するステップと、
前記第２のサーバが、前記コンテンツを前記情報機器にＨＴＴＰにより送信するステップと、
を有することを特徴とするコンテンツのダウンロード方法。
【請求項７】
情報機器とサーバとを備えるコンテンツのダウンロード方式において、
前記情報機器が、
コンテンツの識別情報であって電子透かしの形態を有するものを含んだ画像を読み取る手段と、
前記画像を前記サーバにＨＴＴＰ（ｈｙｐｅｒｔｅｘｔ　ｔｒａｎｓｆｅｒ　ｐｒｏｔｏｃｏｌ）により送信する手段とを備え、
前記サーバが、
前記画像から前記識別情報を抽出する手段と、
前記識別情報に対応したコンテンツを検索する手段と、
前記コンテンツを前記情報機器にＨＴＴＰにより送信する手段とを備えることを特徴とするコンテンツのダウンロード方式。
【請求項８】
情報機器と第１のサーバと第２のサーバを備えるコンテンツのダウンロード方式において、
前記情報機器が、
ホームページの識別情報であって電子透かしの形態を有するものを含んだ画像を読み取る手段と、
前記画像を前記第１のサーバにＨＴＴＰ（ｈｙｐｅｒｔｅｘｔ　ｔｒａｎｓｆｅｒ　ｐｒｏｔｏｃｏｌ）により送信する手段と、
前記ホームページにＵＲＬ（ｕｎｉｆｏｒｍ　ｒｅｓｏｕｒｃｅ　ｌｏｃａｔｏｒ）が記述されているコンテンツの送信の要求を前記第２のサーバにＨＴＴＰにより送信する手段とを備え、
前記第１のサーバが、
前記画像から前記識別情報を抽出する手段と、
前記識別情報に対応したホームページを検索する手段と、
前記ホームページを前記情報機器にＨＴＴＰにより送信する手段とを備え、
前記第２のサーバが、前記コンテンツを前記情報機器にＨＴＴＰにより送信する手段を備えることを特徴とするコンテンツのダウンロード方式。
【請求項９】
情報機器と第１のサーバと第２のサーバを備えるコンテンツのダウンロード方式において、
情報機器が、
コンテンツのＵＲＬ（ｕｎｉｆｏｒｍ　ｒｅｓｏｕｒｃｅ　ｌｏｃａｔｏｒ）の識別情報であって電子透かしの形態を有するものを含んだ画像を読み取る手段と、
前記画像を前記第１のサーバにＨＴＴＰ（ｈｙｐｅｒｔｅｘｔ　ｔｒａｎｓｆｅｒ　ｐｒｏｔｏｃｏｌ）により送信する手段と、
前記ホームページにＵＲＬが記述されているコンテンツの送信の要求を前記第２のサーバにＨＴＴＰにより送信する手段とを備え、
前記第１のサーバが、
前記画像から前記識別情報を抽出する手段と、
前記識別情報に対応したコンテンツのＵＲＬを検索する手段と、
前記コンテンツのＵＲＬを含んだホームページを作成する手段と、
前記ホームページを前記情報機器にＨＴＴＰにより送信する手段とを備え、
前記第２のサーバが、前記コンテンツを前記情報機器にＨＴＴＰにより送信する手段を備えることを特徴とするコンテンツのダウンロード方式。
【請求項１０】
情報機器とサーバを備えるコンテンツのダウンロード方式において、
情報機器が、
コンテンツの識別情報であって電子透かしの形態を有するものを含んだ画像を読み取る手段と、
前記画像から前記識別情報を抽出する手段と、
前記識別情報を前記サーバにＨＴＴＰ（ｈｙｐｅｒｔｅｘｔ　ｔｒａｎｓｆｅｒ　ｐｒｏｔｏｃｏｌ）により送信する手段とを備え、
前記サーバが、
前記識別情報に対応したコンテンツを検索する手段と、
前記コンテンツを前記情報機器にＨＴＴＰにより送信する手段とを備えることを特徴とするコンテンツのダウンロード方式。
【請求項１１】
情報機器と第１のサーバと第２のサーバとを備えるコンテンツのダウンロード方式において、
情報機器が、
ホームページの識別情報であって電子透かしの形態を有するものを含んだ画像を読み取る手段と、
前記画像から前記識別情報を抽出する手段と、
前記識別情報を前記第１のサーバにＨＴＴＰ（ｈｙｐｅｒｔｅｘｔ　ｔｒａｎｓｆｅｒ　ｐｒｏｔｏｃｏｌ）により送信する手段と、
前記ホームページにＵＲＬ（ｕｎｉｆｏｒｍ　ｒｅｓｏｕｒｃｅ　ｌｏｃａｔｏｒ）が記述されているコンテンツの送信の要求を前記第２のサーバにＨＴＴＰにより送信する手段とを備え、
前記第１のサーバが、
前記識別情報に対応したホームページを検索する手段と、
前記ホームページを前記情報機器にＨＴＴＰにより送信する手段とを備え、
前記第２のサーバが、前記コンテンツを前記情報機器にＨＴＴＰにより送信する手段を備えることを特徴とするコンテンツのダウンロード方式。
【請求項１２】
情報機器と第１のサーバと第２のサーバとを備えるコンテンツのダウンロード方式において、
情報機器が、
コンテンツのＵＲＬ（ｕｎｉｆｏｒｍ　ｒｅｓｏｕｒｃｅ　ｌｏｃａｔｏｒ）の識別情報であって電子透かしの形態を有するものを含んだ画像を読み取る手段と、
前記画像から前記識別情報を抽出する手段と、
前記識別情報を前記第１のサーバにＨＴＴＰ（ｈｙｐｅｒｔｅｘｔ　ｔｒａｎｓｆｅｒ　ｐｒｏｔｏｃｏｌ）により送信する手段と、
前記ホームページにＵＲＬが記述されているコンテンツの送信の要求を第２のサーバにＨＴＴＰにより送信する手段とを備え、
前記第１のサーバが、
前記識別情報に対応したコンテンツのＵＲＬを検索する手段と、
前記コンテンツのＵＲＬを含んだホームページを作成する手段と、
前記ホームページを前記情報機器にＨＴＴＰにより送信する手段とを備え、
前記第２のサーバが、前記コンテンツを前記情報機器にＨＴＴＰにより送信する手段を備えることを特徴とするコンテンツのダウンロード方式。
【発明の詳細な説明】
【０００１】
【発明の属する技術分野】
本発明は、ＷＷＷ（Ｗｏｒｌｄ　Ｗｉｄｅ　Ｗｅｂ）サーバにより提供されるホームページやコンテンツをＷＷＷサーバから携帯電話等の情報機器にダウンロードする方式及びその方法に関し、特に、携帯端末等の情報機器が読み取った画像を基にその画像に関連するホームページやコンテンツをＷＷＷサーバから携帯電話等の情報機器にダウンロードする方式及びその方法に関する。
【０００２】
【従来の技術】
インターネット技術の普及等により、近年では、パーソナルコンピュータのみならず携帯端末でもホームページをアクセスして閲覧することができるようになってきた。また、待ち受け画面や着信メロディも携帯端末がサーバからダウンロードできるようになってきた。更に、パーソナルコンピュータ等がストリーミングサーバから動画等をダウンロードすると同時に再生するストリーミングも登場してきている。
【０００３】
【発明が解決しようとする課題】
しかし、パーソナルコンピュータ、携帯端末等の情報機器でホームページにアクセスするためには、利用者が原始的にはアクセスしようとするホームページのＵＲＬ（Ｕｎｉｆｏｒｍ　Ｒｅｓｏｕｒｃｅ　Ｌｏｃａｔｏｒｓ）をパーソナルコンピュータ、携帯端末等に入力しなければならなかった。また、ハイパーリンクを辿って次々と新たなホームページにアクセスすることができるが、最初にアクセスするホームページはそのＵＲＬを入力することによりアクセスしなければならない。
【０００４】
メニューを用意しておき、メニューの各項目にＵＲＬを登録することも考えられるが、メニューに登録できるＵＲＬの数には限界がある。また、メニューに登録したＵＲＬの数が多いと目的のＵＲＬに辿り着くための操作数が増える。
【０００５】
一方、印刷物にＵＲＬをバーコードの形態で印刷しておいて、パーソナルコンピュータや携帯端末に接続又は内蔵されたバーコードリーダでそのバーコードを読み込んで、パーソナルコンピュータや携帯端末でバーコードをＵＲＬに変換して、そのＵＲＬのホームページにアクセスする方式があるが、この方法では、印刷物にバーコードを印刷しなければならないので、バーコードが目障りとなり、また、印刷物の体裁が悪くなる。また、殆ど他の用途に用いることがないバーコードリーダが必要となる。
【０００６】
本発明は、ホームページ又はコンテンツをダウンロードするためにそのホームページやコンテンツのＵＲＬを入力することを不要とするホームページ又はコンテンツのダウンロード方法及びその方式を提供することを目的とする。
【０００７】
また、本発明は、印刷物にＵＲＬのバーコードを印刷することを不要とするホームページ又はコンテンツのダウンロード方法及びその方式を提供することを目的とする。
【０００８】
更に、本発明は、カメラが読み取った画像を基にその画像に関連付けられているホームページ又はコンテンツにアクセスすることを可能とするホームページ又はコンテンツのダウンロード方法及びその方式を提供することを目的とする。
【０００９】
【課題を解決するための手段】
本発明の第１の観点によれば、情報機器が、コンテンツの識別情報であって電子透かしの形態を有するものを含んだ画像を読み取るステップと、前記情報機器が、前記画像をサーバにＨＴＴＰ（ｈｙｐｅｒｔｅｘｔ　ｔｒａｎｓｆｅｒ　ｐｒｏｔｏｃｏｌ）により送信するステップと、前記サーバが、前記画像から前記識別情報を抽出するステップと、前記サーバが、前記識別情報に対応したコンテンツを検索するステップと、前記サーバが、前記コンテンツを前記情報機器にＨＴＴＰにより送信するステップと、を有することを特徴とするコンテンツのダウンロード方法が提供される。
【００１０】
本発明の第２の観点によれば、情報機器が、ホームページの識別情報であって電子透かしの形態を有するものを含んだ画像を読み取るステップと、前記情報機器が、前記画像を第１のサーバにＨＴＴＰにより送信するステップと、前記第１のサーバが、前記画像から前記識別情報を抽出するステップと、前記第１のサーバが、前記識別情報に対応したホームページを検索するステップと、前記第１のサーバが、前記ホームページを前記情報機器にＨＴＴＰにより送信するステップと、前記情報機器が、前記ホームページにＵＲＬが記述されているコンテンツの送信の要求を第２のサーバにＨＴＴＰにより送信するステップと、前記第２のサーバが、前記コンテンツを前記情報機器にＨＴＴＰにより送信するステップと、を有することを特徴とするコンテンツのダウンロード方法が提供される。
【００１１】
本発明の第３の観点によれば、情報機器が、コンテンツのＵＲＬの識別情報であって電子透かしの形態を有するものを含んだ画像を読み取るステップと、前記情報機器が、前記画像を第１のサーバにＨＴＴＰにより送信するステップと、前記第１のサーバが、前記画像から前記識別情報を抽出するステップと、前記第１のサーバが、前記識別情報に対応したコンテンツのＵＲＬを検索するステップと、前記第１のサーバが、前記コンテンツのＵＲＬを含んだホームページを作成するステップと、前記第１のサーバが、前記ホームページを前記情報機器にＨＴＴＰにより送信するステップと、前記情報機器が、前記ホームページにＵＲＬが記述されているコンテンツの送信の要求を第２のサーバにＨＴＴＰにより送信するステップと、前記第２のサーバが、前記コンテンツを前記情報機器にＨＴＴＰにより送信するステップと、を有することを特徴とするコンテンツのダウンロード方法が提供される。
【００１２】
本発明の第４の観点によれば、情報機器が、コンテンツの識別情報であって電子透かしの形態を有するものを含んだ画像を読み取るステップと、前記情報機器が、前記画像から前記識別情報を抽出するステップと、前記情報機器が、前記識別情報をサーバにＨＴＴＰにより送信するステップと、前記サーバが、前記識別情報に対応したコンテンツを検索するステップと、前記サーバが、前記コンテンツを前記情報機器にＨＴＴＰにより送信するステップと、を有することを特徴とするコンテンツのダウンロード方法が提供される。
【００１３】
本発明の第５の観点によれば、情報機器が、ホームページの識別情報であって電子透かしの形態を有するものを含んだ画像を読み取るステップと、前記情報機器が、前記画像から前記識別情報を抽出するステップと、前記情報機器が、前記識別情報を第１のサーバにＨＴＴＰにより送信するステップと、前記第１のサーバが、前記識別情報に対応したホームページを検索するステップと、前記第１のサーバが、前記ホームページを前記情報機器にＨＴＴＰにより送信するステップと、前記情報機器が、前記ホームページにＵＲＬが記述されているコンテンツの送信の要求を第２のサーバにＨＴＴＰにより送信するステップと、前記第２のサーバが、前記コンテンツを前記情報機器にＨＴＴＰにより送信するステップと、を有することを特徴とするコンテンツのダウンロード方法が提供される。
【００１４】
本発明の第６の観点によれば、情報機器が、コンテンツのＵＲＬの識別情報であって電子透かしの形態を有するものを含んだ画像を読み取るステップと、前記情報機器が、前記画像から前記識別情報を抽出するステップと、前記情報機器が、前記識別情報を第１のサーバにＨＴＴＰにより送信するステップと、前記第１のサーバが、前記識別情報に対応したコンテンツのＵＲＬを検索するステップと、前記第１のサーバが、前記コンテンツのＵＲＬを含んだホームページを作成するステップと、前記第１のサーバが、前記ホームページを前記情報機器にＨＴＴＰにより送信するステップと、前記情報機器が、前記ホームページにＵＲＬが記述されているコンテンツの送信の要求を第２のサーバにＨＴＴＰにより送信するステップと、前記第２のサーバが、前記コンテンツを前記情報機器にＨＴＴＰにより送信するステップと、を有することを特徴とするコンテンツのダウンロード方法が提供される。
【００１５】
【発明の実施の形態】
以下、図面を参照して本発明の実施形態について詳細に説明する。
【００１６】
本発明でいうコンテンツとは、静止画（待ち受け画面等）、動画（映画の予告動画等）及び音声（着信メロディ等）の他にホームページも含むものとする。
【００１７】
［実施形態１］
図１は、本発明の実施形態１によるコンテンツのダウンロード方式の構成を示す概念図である。
【００１８】
図１を参照すると、本ダウンロード方式は、携帯電話１０２、ＷＷＷサーバ１０３及びコンテンツデータベース１０９を備える。携帯電話１０２とＷＷＷサーバ１０３はインターネット１０１を介して接続されている。また、ＷＷＷサーバ１０３はコンテンツデータベース１０９にアクセスできるように接続されている。携帯電話１０２は、文字や画像を表示する画面１１２及び画像を撮影するためのカメラ１１１を備える。
【００１９】
携帯電話１０２は、カメラに接続され又はカメラを備えるＰＤＡ（Ｐｅｒｓｏｎａｌ　Ｄｉｇｉｔａｌ　Ａｓｓｉｓｔａｎｃｅ）、コンピュータ等であってもよい。本発明では、携帯電話、ＰＤＡ、コンピュータ等のことを情報機器という。
【００２０】
図１では、携帯電話１０２とＷＷＷサーバ１０３がインターネット１０１により接続されている概念図を示したが、実際には、図２に示すように、携帯電話１０２とＷＷＷサーバ１０３は、携帯電話網１３２、中継サーバ１３１及びインターネット１０１を介して接続されている。
【００２１】
携帯電話１０２がＷＡＰ（Ｗｉｒｅｌｅｓｓ　Ａｐｐｌｉｃａｔｉｏｎ　Ｐｒｏｔｏｃｏｌ）２．０を採用する場合には、携帯電話網１３２では、ＯＳＩ基本参照モデルの第３層〜第７層として、ＩＰ（Ｉｎｔｅｒｎｅｔ　Ｐｒｏｔｏｃｏｌ）、ｗ−ＴＣＰ（ｗｉｒｅｌｅｓｓ　ｐｒｏｆｉｌｅｄ　ｔｒａｎｓｍｉｓｓｉｏｎ　ｃｏｎｔｒｏｌ　ｐｒｏｔｏｃｏｌ）、ｗ−ＨＴＴＰ（ｗｉｒｅｌｅｓｓ　ｐｒｏｆｉｌｅｄ　ｈｙｐｅｒｔｅｘｔ　ｔｒａｎｓｆｅｒ　ｐｒｏｔｏｃｏｌ）及びＸＨＴＭＬが用いられる。また、インターネット１０１では、ＯＳＩ基本参照モデルの第３層〜第７層として、ＩＰ、ＴＣＰ（ｔｒａｎｓｍｉｓｓｉｏｎ　ｃｏｎｔｒｏｌ　ｐｒｏｔｏｃｏｌ）、ＨＴＴＰ（ｈｙｐｅｒｔｅｘｔ　ｔｒａｎｓｆｅｒ　ｐｒｏｔｏｃｏｌ）、ＸＨＴＭＬが用いられる。そして、中継サーバ１３１は、携帯電話網１３２とインターネット１０１との間でプロトコル変換を行う。
【００２２】
携帯電話１０２がｉ　ｍｏｄｅ（登録商標）を採用する場合には、携帯電話網１３２では、ＯＳＩ基本参照モデルの第３〜第７層として、ＩＰ、ＴＣＰ、ＨＴＴＰｓ、ｅＨＴＭＬが用いられている。インターネット１０１では、ＯＳＩ基本参照モデルの第３〜第７層として、ＩＰ、ＴＣＰ、ＨＴＴＰ、ｅＨＴＭＬが用いられる。そして、中継サーバ１３１は、携帯電話網とインターネット１０１との間でプロトコル変換を行う。
【００２３】
本発明では、ＴＣＰは、ｗ−ＴＣＰを含み、ＨＴＴＰは、ｗ−ＨＴＴＰ及びＨＴＴＰｓ並びにＨＴＴＰに類するものを含み、ＨＴＭＬはＸＨＴＭＬ及びｅＨＴＭＬ並びにＨＴＭＬに類するもの（例えば、ＸＭＬ（ｅｘｔｅｎｄｅｄ　ｍａｒｋｕｐ　ｌａｎｇｕａｇｅ）、ＳＧＭＬ（ｓｔａｎｄａｒｄ　ｇｅｎｅｒａｌｉｚｅｄ　ｍａｒｋｕｐ　ｌａｎｇｕａｇｅ））を含むものとする。
【００２４】
図１に戻り、コンテンツデータベース１０９は、コンテンツとその識別情報を対応付けて保存するテーブルを有する。そして、ＷＷＷサーバ１０３は、ＤＢＭＳ（ｄａｔａｂａｓｅ　ｍａｎａｇｅｍｅｎｔ　ｓｙｓｔｅｍ）及びＤＢＭＳを操作するプログラムを介して、与えられた識別情報に対応したコンテンツをコンテンツデータベース１０９から検索できるものとする。
【００２５】
図３は、本発明の実施形態１によるコンテンツのダウンロード方式の動作を示すフローチャートである。
【００２６】
図３を参照すると、まず、携帯電話１０２の利用者は、携帯電話１０２を操作して、後述するプログラムを開始するためのホームページへのリンクを選択する（ステップＳ２０１）。
【００２７】
ステップＳ２０１の選択があると、携帯電話１０２は、ホームページの送信の要求をＷＷＷサーバ１０３にＨＴＴＰにより送信し（ステップＳ２０３）、ＷＷＷサーバ１０３は、ホームページを携帯電話１０２にＨＴＴＰにより送信する（ステップＳ２０５）。
【００２８】
次に、利用者が、携帯電話１０２を操作して、ホームページに表示されている処理開始のボタンを押すと（ステップＳ２０７）、携帯電話１０２は、プログラムの送信の要求をＷＷＷサーバ１０３にＨＴＴＰにより送信し（ステップＳ２０９）、ＷＷＷサーバ１０３は、プログラムを携帯電話１０２にＨＴＴＰにより送信する（ステップＳ２１１）。
【００２９】
次に、携帯電話１０２では、ダウンロードしたプログラムの実行を自動開始する（ステップＳ２１３）。
【００３０】
プログラムの実行が開始されると、プログラムは、利用者にカメラで画像を撮影することを促すための画面を表示するので、利用者は画像を撮影する（ステップＳ２１５）。図１を参照すると、ここで撮影する画像は、本１２１、雑誌等に印刷された広告１２２、特別欄等の画像である。この広告等の画像には、電子透かしの形態でコンテンツの識別情報が埋め込まれている。電子透かしの形態で識別情報が埋め込まれている画像が本等に印刷され、印刷された画像がカメラにより撮影された場合であっても、その画像から識別情報を検出することが可能であるためには、画像の回転角、倍率を検出できるための基準信号も電子透かしの一部として画像に挿入し、基準信号と所定の幾何学的関係を有する位置に識別情報としての電子透かしを挿入すればよい。そうすれば、カメラにより撮影した画像からその画像の回転角及び倍率を検出し、その回転角及び倍率を補正した画像から幾何学的関係を用いて識別情報を検出することが可能となる。このような電子透かしの挿入方式及び検出方式は、例えば、本出願人が出願した「電子透かし挿入方法及びその装置並びに電子透かし検出方法及びその装置」（特願２００２−１６５６２８号）及び「電子透かし挿入方法及びその装置並びに電子透かし検出方法及びその装置」（特願２００２−２２１４８２号）に記載されている。
【００３１】
次に、利用者がプログラムが表示する画面に存在する送信ボタンを押すと（ステップＳ２１７）、プログラムはカメラが撮影した画像をＷＷＷサーバ１０３にＨＴＴＰで送信する（ステップＳ２１９）。ステップＳ２１９で送信した画像はＨＴＭＬでいうところのフォームに挿入され、そのフォームには、ＷＷＷサーバ１０３がステップＳ２２３〜Ｓ２３５Ｂの処理を行うためのプログラムの指定も含まれている。
【００３２】
ステップＳ２１３で実行が開始されたプログラムは、ステップＳ２１９の画像送信を最後にして終了する（ステップＳ２２１）。
【００３３】
一方、ＷＷＷサーバ１０３は、携帯電話１０２から画像を受信すると、画像に電子透かしの形態で埋め込まれている識別情報を抽出し（ステップＳ２２３）、抽出した識別情報に対応するコンテンツをコンテンツデータベース１０９から検索し（ステップＳ２２５Ｃ）、検索したコンテンツを携帯電話１０２にＨＴＴＰにより送信する（ステップＳ２３５Ｂ）。
【００３４】
利用者は、携帯電話１０２がコンテンツを受信すると、通常の場合と同様にコンテンツ保存の操作を携帯電話１０２に対して行い（ステップＳ２３７）、携帯電話１０２は、コンテンツを内蔵メモリに保存する（ステップＳ２３９）。
【００３５】
なお、ステップＳ２１３で実行を開始したプログラムにより、コンテンツの保存の操作の受け付け及びコンテンツの保存を行ったり、コンテンツの保存の操作の受け付け無しでコンテンツの自動保存を行ったりしてもよい。
【００３６】
実施形態１によれば、利用者は、ホームページにアクセスし、処理開始のボタンを押し、カメラで画像を撮影し、送信ボタンを押すのみで、画像に関連付けられているコンテンツを携帯電話１０２にダウンロードすることが可能となる。
【００３７】
［実施形態２］
実施形態２は、実施形態１において、携帯電話１０２がダウンロードしたプログラムを内蔵メモリに保存し、利用者が何度でもそのプログラムを再利用してコンテンツをダウンロードできるようにしたものである。
【００３８】
実施形態２の構成は実施形態１のものと同様である。
【００３９】
図４は、本発明の実施形態２によるコンテンツのダウンロード方式の動作を示すフローチャートである。
【００４０】
図４と図３を比較すると明らかなように、実施形態２の実施形態１との動作上の相違点は、プログラムの実行の自動開始のステップ（ステップＳ２１３）が無くなり、その代わりにステップＳ２５１〜Ｓ２１３Ｂが追加されている点のみであるので、追加されたステップのみについて説明をする。
【００４１】
携帯電話１０２がプログラムをダウンロードした後に（ステップＳ２１１）、利用者がプログラムを携帯電話１０２に保存するための操作を携帯電話１０２に対して行うと（ステップＳ２５１）、携帯電話１０２は、プログラムを内蔵メモリに保存する（ステップＳ２５３）。
【００４２】
利用者が必要がある度に、プログラム開始のための操作を携帯電話１０２に対して行うと（ステップＳ２５５）、携帯電話１０２はプログラムの実行を開始する（ステップＳ２５５）。
【００４３】
実施形態２によれば、一旦プログラムをダウンロードして保存した後は、利用者が必要がある度に、プログラムを開始して、コンテンツをダウンロードすることができるので、コンテンツをダウンロードする都度ホームページにアクセスし、プログラムをダウンロードする必要が無くなる。
【００４４】
［実施形態３］
図５は、本発明の実施形態３によるコンテンツのダウンロード方式の構成を示す概念図である。
【００４５】
図１と図５を比較すると明らかなように、実施形態３の実施形態１との構成上の相違点は、ＷＷＷサーバ１０３が第１のＷＷＷサーバ１０３Ｂに置き換わり、コンテンツデータベース１０９がホームページデータベース１０８に置き換わり、第２のＷＷＷサーバ１０４及びそれに接続されるコンテンツ群１０６が追加された点である。
【００４６】
コンテンツ群１０６には多数のコンテンツが含まれ、各コンテンツには、第２のＷＷＷサーバ１０４によりＵＲＬが付されている。第２のＷＷＷサーバ１０４は、コンテンツのＵＲＬを指定を伴ったコンテンツの送信の要求を携帯電話１０２から受信すると、そのコンテンツを携帯電話１０２に送信する。
【００４７】
ホームページデータベース１０８は、ホームページそのものとその識別情報を対応付けて保存するテーブルを有する。各ホームページには、コンテンツ群１０６に含まれる１乃至複数のコンテンツのＵＲＬが記述されている。
【００４８】
図６は、本発明の実施形態３によるコンテンツのダウンロード方式の動作を示すフローチャートである。
【００４９】
図３と図６を比較すると明らかなように、実施形態３の実施形態１との動作上の相違点は、ステップＳ２２５Ｃ〜Ｓ２３５Ｂが、ステップＳ２２５Ｂ〜Ｓ２３５に置き換わった点のみであるので、置き換わったステップのみについて説明をする。
【００５０】
第１のＷＷＷサーバ１０３Ｂは、画像に電子透かしの形態で埋め込まれている識別情報を抽出すると（ステップＳ２２３）、抽出した識別情報に対応するホームページをホームページデータベース１０８から検索し（ステップＳ２２５Ｂ）、検索したホームページを携帯電話１０２にＨＴＴＰにより送信する（ステップＳ２２９）。
【００５１】
利用者は、携帯電話１０２がホームページを受信すると、受信したホームページに記述されているコンテンツのＵＲＬを選択する（ステップＳ２３１）。なお、受信したホームページに複数のコンテンツのＵＲＬが記述されている場合には、希望のコンテンツのＵＲＬを選択する。ステップＳ２３１でコンテンツのＵＲＬが選択されると、携帯電話１０２は、選択されたＵＲＬのコンテンツの送信の要求を第２のＷＷＷサーバ１０４にＨＴＴＰにより送信し（ステップＳ２３３）、第２のＷＷＷサーバ１０４は、要求のあったコンテンツをコンテンツ群１０６から読み込んで、携帯電話１０２にＨＴＴＰにより送信する（ステップＳ２３５）。
【００５２】
なお、実施形態１を基にして実施形態２を派生させたのと同様に、実施形態３を基にした派生形態（プログラムを携帯電話に保存して再実行する形態）も構成できる。
【００５３】
実施形態３によれば、電子透かしの形態で埋め込まれている識別情報を検出する処理を行うための第１のＷＷＷサーバとコンテンツ群又はホームページ群をアクセスするための第２のＷＷＷサーバを分離しているので、前者のサーバを運営する事業者と後者のサーバを運営する事業者を分離することが可能となる。例えば、前者のサーバを運営する事業者が印刷会社であり、後者のサーバを運営する事業者が広告代理店である場合、広告代理店がコンテンツ群１０６を作成し、コンテンツ群１０６に含まれる個々のコンテンツのＵＲＬ及びそのコンテンツに関連付けたい画像を印刷会社に提出し、印刷会社が個々のコンテンツのＵＲＬを記述したホームページを格納するホームページデータベース１０８を作成し、コンテンツに関連付けた画像を含む本を印刷する運用形態をとることができる。
【００５４】
また、実施形態１では、カメラが読み込んだ画像に対応付けられているコンテンツは、所定のものに限られていたが、実施形態３では、ステップＳ２２５Ｂで検索するホームページに複数のコンテンツのＵＲＬを設けておくことにより、カメラが読み込んだ画像に対応付けられている複数のコンテンツの中から利用者が好みのものを選択することが可能となる。
【００５５】
［実施形態４］
図７は、本発明の実施形態４によるコンテンツのダウンロード方式の構成を示す概念図である。
【００５６】
図５と図７を比較すると明らかなように、実施形態４の実施形態３との構成上の相違点は、ホームページデータベース１０８がコンテンツＵＲＬデータベース１０５に置き換わった点である。
【００５７】
コンテンツＵＲＬデータベース１０５は、コンテンツ群１０６に格納されているコンテンツのＵＲＬとその識別情報を対応付けて保存するテーブルを有する。コンテンツのＵＲＬとその識別情報との対応関係は１対１であってもよいが、多対１であってもよい。多対１の場合には、１つの識別情報に対して複数のコンテンツが対応付けられることになり、これは、カメラが読み取った画像に複数のコンテンツが対応付けられることを意味する。
【００５８】
図８は、本発明の実施形態４によるコンテンツのダウンロード方式の動作を示すフローチャートである。
【００５９】
図６と図８を比較すると明らかなように、実施形態４の実施形態３との動作上の相違点は、ステップＳ２２５Ｂが、ステップＳ２２５〜Ｓ２２７に置き換わった点のみであるので、置き換わったステップのみについて説明をする。
【００６０】
第１のＷＷＷサーバ１０３Ｂは、画像に電子透かしの形態で埋め込まれている識別情報を抽出すると（ステップＳ２２３）、抽出した識別情報に対応する１又は複数のコンテンツのＵＲＬをコンテンツＵＲＬデータベース１０５から検索し（ステップＳ２２５）、検索したＵＲＬが記述されたホームページを作成し（ステップＳ２２７）、作成したホームページを携帯電話１０２にＨＴＴＰにより送信する（ステップＳ２２９）。
【００６１】
なお、実施形態１を基にして実施形態２を派生させたのと同様に、実施形態４を基にした派生形態（プログラムを携帯電話に保存して再実行する形態）も構成できる。
【００６２】
実施形態４によれば、コンテンツのＵＲＬを記述したホームページを第１のＷＷＷサーバ１０３Ｂがプログラムにより作成するので、そのようなホームページを人手により作成する場合に比べ、人手による労力を省略することができる。また、コンテンツのＵＲＬの追加、削除及び変更に柔軟に対応することが可能となる。更に、ホームページを格納するための記憶領域を省略することができる。
【００６３】
［実施形態５］
実施形態１では、画像から識別情報を抽出する処理をＷＷＷサーバ１０３で行うが、実施形態５は、この処理を携帯電話１０２で行う点が実施形態１と異なる。
【００６４】
実施形態５の構成は、図１に示す実施形態１のものと同一である。
【００６５】
図９は、本発明の実施形態５によるコンテンツのダウンロード方式の動作を示すフローチャートである。
【００６６】
図３と図９を比較すると明らかなように、実施形態５の実施形態１との動作上の相違点は、ステップＳ２１９及びステップＳ２２３がそれぞれステップＳ３０２及びステップＳ３０１に置き換わった点のみであるので、置き換わったステップのみについて説明をする。
【００６７】
利用者がプログラムが表示する画面に存在する送信ボタンを押すと（ステップＳ２１７）、携帯電話１０２は、画像に電子透かしの形態で埋め込まれている識別情報を抽出し（ステップＳ３０１）、抽出した識別情報をＷＷＷサーバ１０３にＨＴＴＰにより送信する（ステップＳ３０２）。ステップＳ３０２で送信する識別情報はＨＴＭＬでいうところのフォームに挿入され、そのフォームには、ＷＷＷサーバ１０３がステップＳ２２５Ｃ〜Ｓ２３５Ｂの処理を行うためのプログラムの指定も含まれている。
【００６８】
なお、実施形態１を基にして実施形態２を派生させたのと同様に、実施形態５を基にした派生形態（プログラムを携帯電話に保存して再実行する形態）も構成できる。
【００６９】
［実施形態６］
実施形態２では、画像から識別情報を抽出する処理をＷＷＷサーバ１０３で行うが、実施形態６は、この処理を携帯電話１０２で行う点が実施形態２と異なる。
【００７０】
実施形態６の構成は、図１に示す実施形態２のものと同一である。
【００７１】
図１０は、本発明の実施形態６によるコンテンツのダウンロード方式の動作を示すフローチャートである。
【００７２】
図４と図１０を比較すると明らかなように、実施形態６の実施形態２との動作上の相違点は、ステップＳ２１９及びステップＳ２２３がそれぞれステップＳ３０２及びステップＳ３０１に置き換わった点のみであるが、置き換わったステップについての説明は実施形態５で行ったので、これを省略する。
【００７３】
なお、実施形態１を基にして実施形態２を派生させたのと同様に、実施形態６を基にした派生形態（プログラムを携帯電話に保存して再実行する形態）も構成できる。
【００７４】
［実施形態７］
実施形態３では、画像から識別情報を抽出する処理を第１のＷＷＷサーバ１０３Ｂで行うが、実施形態７は、この処理を携帯電話１０２で行う点が実施形態３と異なる。
【００７５】
実施形態７の構成は、図５に示す実施形態３のものと同一である。
【００７６】
図１１は、本発明の実施形態７によるコンテンツのダウンロード方式の動作を示すフローチャートである。
【００７７】
図６と図１１を比較すると明らかなように、実施形態７の実施形態３との動作上の相違点は、ステップＳ２１９及びステップＳ２２３がそれぞれステップＳ３０２及びステップＳ３０１に置き換わった点のみであるが、置き換わったステップについての説明は実施形態５で行ったので、これを省略する。
【００７８】
なお、実施形態１を基にして実施形態２を派生させたのと同様に、実施形態７を基にした派生形態（プログラムを携帯電話に保存して再実行する形態）も構成できる。
【００７９】
［実施形態８］
実施形態４では、画像から識別情報を抽出する処理を第１のＷＷＷサーバ１０３Ｂで行うが、実施形態８は、この処理を携帯電話１０２で行う点が実施形態４と異なる。
【００８０】
実施形態８の構成は、図７に示す実施形態４のものと同一である。
【００８１】
図１２は、本発明の実施形態８によるコンテンツのダウンロード方式の動作を示すフローチャートである。
【００８２】
図８と図１２を比較すると明らかなように、実施形態８の実施形態４との動作上の相違点は、ステップＳ２１９及びステップＳ２２３がそれぞれステップＳ３０２及びステップＳ３０１に置き換わった点のみであるが、置き換わったステップについての説明は実施形態５で行ったので、これを省略する。
【００８３】
なお、実施形態１を基にして実施形態２を派生させたのと同様に、実施形態８を基にした派生形態（プログラムを携帯電話に保存して再実行する形態）も構成できる。
【００８４】
【発明の効果】
以上説明したように、本発明によれば、ホームページ又はコンテンツのＵＲＬは、カメラが読み込んだ画像を基に得られるので、ホームページやコンテンツをダウンロードするためにそのホームページやコンテンツのＵＲＬを入力することが不要となる。
【００８５】
また、本発明によれば、ホームページ又はコンテンツのＵＲＬは、カメラが読み込んだ画像を基に得られるので、印刷物にＵＲＬのバーコードを印刷することが不要となる。
【００８６】
更に、本発明によれば、ＷＷＷサーバがカメラが読み取った画像とホームページ又はコンテンツとの関連付けを行うので、カメラが読み取った画像を基にその画像に関連付けられているホームページ又はコンテンツにアクセスすることが可能となる。
【図面の簡単な説明】
【図１】本発明の実施形態１によるコンテンツのダウンロード方式の構成を示す概念図である。
【図２】携帯電話とＷＷＷサーバとの接続関係を示す概念図である。
【図３】本発明の実施形態１によるコンテンツのダウンロード方式の動作を示すフローチャートである。
【図４】本発明の実施形態２によるコンテンツのダウンロード方式の動作を示すフローチャートである。
【図５】本発明の実施形態３によるコンテンツのダウンロード方式の構成を示す概念図である。
【図６】本発明の実施形態３によるコンテンツのダウンロード方式の動作を示すフローチャートである。
【図７】本発明の実施形態４によるコンテンツのダウンロード方式の構成を示す概念図である。
【図８】本発明の実施形態４によるコンテンツのダウンロード方式の動作を示すフローチャートである。
【図９】本発明の実施形態５によるコンテンツのダウンロード方式の動作を示すフローチャートである。
【図１０】本発明の実施形態６によるコンテンツのダウンロード方式の動作を示すフローチャートである。
【図１１】本発明の実施形態７によるコンテンツのダウンロード方式の動作を示すフローチャートである。
【図１２】本発明の実施形態８によるコンテンツのダウンロード方式の動作を示すフローチャートである。
【符号の説明】
１０１　インターネット
１０２　携帯電話
１０３　ＷＷＷサーバ
１０３Ｂ　第１のＷＷＷサーバ
１０４　第２のＷＷＷサーバ
１０５　コンテンツＵＲＬデータベース
１０６　コンテンツ群
１０８　ホームページデータベース
１０９　コンテンツデータベース
１１１　カメラ
１２１　本
１２２　広告
【図１】
2004086457.tif 000003
【図２】
2004086457.tif 000004
【図３】
2004086457.tif 000005
【図４】
2004086457.tif 000006
【図５】
2004086457.tif 000007
【図６】
2004086457.tif 000008
【図７】
2004086457.tif 000009
【図８】
2004086457.tif 000010
【図９】
2004086457.tif 000011
【図１０】
2004086457.tif 000012
【図１１】
2004086457.tif 000013
【図１２】
2004086457.tif 000014